(57)【特許請求の範囲】
【請求項１】
第１移動体通信網の無線基地局と通信可能である第１通信手段と、
前記第１通信手段と前記第１移動体通信網の無線基地局との通信より高速で第２移動体通信網の無線基地局と通信可能な第２通信手段と、
前記第２通信手段により受信された前記第２移動体通信網の無線基地局からの電波強度に基づいて、前記第２移動体通信網の無線基地局の電波が届くエリア内に自機が入っているか否かを判定するエリア判定手段と、
前記第２移動体通信網を介して接続不可能であるが前記第１移動体通信網を介して接続可能であるサイトのアドレスである接続制限アドレスを記憶する記憶手段と、
前記エリア判定手段により、前記第２移動体通信網の無線基地局の電波が届くエリア内に自機が入っていると判定され、入力された接続先アドレスが前記記憶手段に記憶されている前記接続制限アドレスではない場合には、前記第２通信手段に前記第２移動体通信網の無線基地局と通信させて前記第２移動体通信網を介して前記接続先アドレスのサイトに自機を接続させ、
前記エリア判定手段により、前記第２移動体通信網の無線基地局の電波が届くエリア内に自機が入っていると判定されている場合においても、入力された接続先アドレスが前記記憶手段に記憶されている前記接続制限アドレスである場合には、前記第１通信手段に前記第１移動体通信網の無線基地局と通信させて前記第１移動体通信網を介して前記接続先アドレスのサイトに自機を接続させる通信切替手段と
を備えることを特徴とする移動通信端末。
【請求項２】
入力された接続先アドレスのサイトに自機が接続できているか否かを判定する接続状況判定手段と、
前記接続状況判定手段により、前記第２移動体通信網を介して前記接続先アドレスのサイトに自機が接続できなかったと判定され、且つ、前記第１移動体通信網を介して前記接続先アドレスのサイトに自機が接続することができたと判定された場合に、前記接続先アドレスを前記接続制限アドレスとして前記記憶手段に記憶させる記憶制御手段と
を更に備えることを特徴とする請求項１に記載の移動通信端末。
【請求項３】
前記接続制限アドレスの入力を受け付ける入力手段と、
前記入力手段によって受け付けられた前記接続制限アドレスを前記記憶手段に記憶させる記憶制御手段とを更に備えることを特徴とする請求項１に記載の移動通信端末。
【請求項４】
前記記憶手段は、前記接続制限アドレスを特定する情報として所定の文字列を記憶し、前記通信切替手段は、入力された接続先アドレスが前記所定の文字列を含む場合に前記第１通信手段に前記第１移動体通信網の無線基地局と通信させることを特徴とする請求項１に記載の移動通信端末。
【請求項５】
前記接続制限アドレスを格納するサーバ装置から前記接続制限アドレスをダウンロードし、前記記憶手段に記憶させる記憶制御手段を更に備えることを特徴とする請求項１に記載の移動通信端末。
【請求項６】
第１移動体通信網の無線基地局と通信可能である第１通信手段と、前記第１通信手段と前記第１移動体通信網の無線基地局との通信より高速で第２移動体通信網の無線基地局と通信可能な第２通信手段と、前記第２移動体通信網を介して接続不可能であるが前記第１移動体通信網を介して接続可能であるサイトのアドレスである接続制限アドレスを記憶する記憶手段とを有する移動通信端末における移動通信方法であって、
前記第２通信手段により受信された前記第２移動体通信網の無線基地局からの電波強度に基づいて、前記第２移動体通信網の無線基地局の電波が届くエリア内に自機が入っているか否かを判定するエリア判定ステップと、
前記エリア判定ステップにより、前記第２移動体通信網の無線基地局の電波が届くエリア内に自機が入っていると判定され、入力された接続先アドレスが前記記憶手段に記憶されている前記接続制限アドレスではない場合には、前記第２通信手段に前記第２移動体通信網の無線基地局と通信させて前記第２移動体通信網を介して前記接続先アドレスのサイトに自機を接続させ、
前記エリア判定ステップにより、前記第２移動体通信網の無線基地局の電波が届くエリア内に自機が入っていると判定されている場合においても、入力された接続先アドレスが前記記憶手段に記憶されている前記接続制限アドレスである場合には、前記第１通信手段に前記第１移動体通信網の無線基地局と通信させて前記第１移動体通信網を介して前記接続先アドレスのサイトに自機を接続させる通信切替ステップと
を備えることを特徴とする移動通信方法。
【請求項７】
入力された接続先アドレスのサイトに自機が接続できているか否かを判定する接続状況判定ステップと、
前記接続状況判定ステップにより、前記第２移動体通信網を介して前記接続先アドレスのサイトに自機が接続できなかったと判定され、且つ、前記第１移動体通信網を介して前記接続先アドレスのサイトに自機が接続することができたと判定された場合に、前記接続先アドレスを前記接続制限アドレスとして前記記憶手段に記憶させる記憶制御ステップと
を更に備えることを特徴とする請求項６に記載の移動通信方法。
【請求項８】
前記接続制限アドレスの入力を受け付ける入力ステップと、前記入力ステップによって受け付けられた前記接続制限アドレスを前記記憶手段に記憶させる記憶制御ステップと
を更に備えることを特徴とする請求項６に記載の移動通信方法。
【請求項９】
前記記憶手段は、前記接続制限アドレスを特定する情報として所定の文字列を記憶し、前記通信切替ステップにより、入力された接続先アドレスが前記所定の文字列を含む場合に、前記第１通信手段に前記第１移動体通信網の無線基地局と通信させることを特徴とする請求項６に記載の移動通信方法。
【請求項１０】
前記接続制限アドレスを格納するサーバ装置から前記接続制限アドレスをダウンロードし、前記記憶手段に記憶させる記憶制御ステップを更に備えることを特徴とする請求項６に記載の移動通信方法。
【請求項１１】
第１移動体通信網と、前記第１移動体通信網の無線基地局と、第２移動体通信網と、前記第２移動体通信網の無線基地局と、前記第１移動体通信網の無線基地局と前記第２移動体通信網の無線基地局と夫々通信可能な移動通信端末を含んで構成され、前記第１移動体通信網が、前記第２移動体通信網を介しては接続不可能であるサイトを有する移動体通信網であって、前記第２移動体通信網の無線基地局と前記移動通信端末との通信が、前記第１移動体通信網の無線基地局と前記移動通信端末との通信より高速である移動通信システムであって、
前記移動通信端末が請求項１に記載の移動通信端末であることを特徴とする移動通信システム。
【発明の詳細な説明】
【０００１】
【発明の属する技術分野】
本発明は、移動通信端末、移動通信方法、及び移動通信システムに関する。
【０００２】
【従来の技術】
従来、２つの移動体通信網における夫々の無線基地局と通信できる機能を有した移動通信端末が知られている。上記の２つの移動体通信網としては、例えば、無線ＬＡＮ（Ｌｏｃａｌ  Ａｒｅａ  Ｎｅｔｗｏｒｋ）を利用した移動体通信網（以下、「無線ＬＡＮ網」という）と携帯電話網とがある。一般に無線ＬＡＮ網では、無線ＬＡＮ網における１つの無線基地局の電波が届くエリアは狭く、ユーザが、無線ＬＡＮ網を利用できるエリアは限定される。しかしながら、移動通信端末は、ネットワーク上で無料で公開されているサイトに無線ＬＡＮ網を介して接続でき、ユーザは、携帯電話網を利用した場合よりサイトの情報を速く取得できる。一方、携帯電話網を利用した場合、無線ＬＡＮ網を利用した場合よりサイトの情報を取得する速度は遅くなるが、携帯電話網における１つの無線基地局の電波が届くエリアであるセルは広く、無線ＬＡＮ網を利用できない時にも携帯電話網を利用できる場合がある。
【０００３】
従って、無線ＬＡＮ網及び携帯電話網の夫々の無線基地局と通信可能な移動通信端末では、無線ＬＡＮ網を利用することができるときは携帯電話網よりもサイトの情報を速く取得することができる無線ＬＡＮ網を利用し、無線ＬＡＮ網を利用できない場所にいる場合に、携帯電話網を利用することができる。
【０００４】
即ち、２つの移動体通信網における夫々の無線基地局と通信できる機能を有する移動通信端末では、ユーザは、利用形態に合わせて通信機能を相互に切り替えて使用でき、各移動体通信網の利点を利用することができる。
【０００５】
【発明が解決しようとする課題】
しかしながら、上記の移動通信端末が、２つの移動体通信網における一方の移動体通信網の無線基地局と通信している場合に、ユーザが、その通信している無線基地局が属している移動体通信網を介しては接続できないが他方の移動体通信網を介して接続できるサイトから情報を取得したい場合には、その他方の移動体通信網の無線基地局と通信可能な機能に手動で切り替えて目的のサイトに接続しなければならず、操作が煩雑であるという課題がある。
【０００６】
本発明は、上記課題を解決するためになされたものであり、その目的は、特定の移動体通信網を介して接続できるサイトに容易に接続することができる移動通信端末、移動通信方法、及び移動通信システムを提供することである。
【０００７】
【課題を解決するための手段】
上記目的を達成するために、本発明の移動通信端末は、第１移動体通信網の無線基地局と通信可能である第１通信手段と、第１通信手段と第１移動体通信網の無線基地局との通信より高速で第２移動体通信網の無線基地局と通信可能な第２通信手段と、第２通信手段により受信された第２移動体通信網の無線基地局からの電波強度に基づいて、第２移動体通信網の無線基地局の電波が届くエリア内に自機が入っているか否かを判定するエリア判定手段と、第２移動体通信網を介して接続不可能であるが第１移動体通信網を介して接続可能であるサイトのアドレスである接続制限アドレスを記憶する記憶手段と、エリア判定手段により、第２移動体通信網の無線基地局の電波が届くエリア内に自機が入っていると判定され、入力された接続先アドレスが記憶手段に記憶されている接続制限アドレスではない場合には、第２通信手段に第２移動体通信網の無線基地局と通信させて第２移動体通信網を介して接続先アドレスのサイトに自機を接続させ、エリア判定手段により、第２移動体通信網の無線基地局の電波が届くエリア内に自機が入っていると判定されている場合においても、入力された接続先アドレスが記憶手段に記憶されている接続制限アドレスである場合には、第１通信手段に第１移動体通信網の無線基地局と通信させて第１移動体通信網を介して接続先アドレスのサイトに自機を接続させる通信切替手段とを備えることを特徴とする。
【０００８】
また、本発明の移動通信方法は、第１移動体通信網の無線基地局と通信可能である第１通信手段と、第１通信手段と第１移動体通信網の無線基地局との通信より高速で第２移動体通信網の無線基地局と通信可能な第２通信手段と、第２移動体通信網を介して接続不可能であるが第１移動体通信網を介して接続可能であるサイトのアドレスである接続制限アドレスを記憶する記憶手段とを有する移動通信端末における移動通信方法であって、第２通信手段により受信された第２移動体通信網の無線基地局からの電波強度に基づいて、第２移動体通信網の無線基地局の電波が届くエリア内に自機が入っているか否かを判定するエリア判定ステップと、エリア判定ステップにより、第２移動体通信網の無線基地局の電波が届くエリア内に自機が入っていると判定され、入力された接続先アドレスが記憶手段に記憶されている接続制限アドレスではない場合には、第２通信手段に第２移動体通信網の無線基地局と通信させて第２移動体通信網を介して接続先アドレスのサイトに自機を接続させ、エリア判定ステップにより、第２移動体通信網の無線基地局の電波が届くエリア内に自機が入っていると判定されている場合においても、入力された接続先アドレスが記憶手段に記憶されている接続制限アドレスである場合には、第１通信手段に第１移動体通信網の無線基地局と通信させて第１移動体通信網を介して接続先アドレスのサイトに自機を接続させる通信切替ステップとを備えることを特徴とする。
【０００９】
また、本発明の移動通信システムは、第１移動体通信網と、第１移動体通信網の無線基地局と、第２移動体通信網と、第２移動体通信網の無線基地局と、第１移動体通信網の無線基地局と第２移動体通信網の無線基地局と夫々通信可能な移動通信端末を含んで構成され、第１移動体通信網が第２移動体通信網を介しては接続不可能であるサイトを有する移動体通信網であって、第２移動体通信網の無線基地局と移動通信端末との通信が、第１移動体通信網の無線基地局と移動通信端末との通信より高速である移動通信システムであって、移動通信端末が本発明の移動通信端末であることを特徴とする。
【００１０】
尚、上記において接続先アドレスとは、サイトへの接続を目的として入力されたアドレスをいう。
【００１１】
上述したような構成により、移動通信端末、移動通信方法、及び移動通信システムにおいては、第２移動体通信網の無線基地局の電波が届くエリア内に自機が入っており、入力された接続先アドレスが記憶手段に記憶されている接続制限アドレスではない場合、第２通信手段が第２移動体通信網の無線基地局と通信する。第２移動体通信網の無線基地局と第２通信手段との通信は、第１移動体通信網の無線基地局と第１通信手段との通信よりも高速である。従って、ユーザは、第２移動体通信網を介して接続したサイトからの情報を第１移動体通信網を利用する場合より速く取得できる。
【００１２】
一方、第２移動体通信網の無線基地局の電波が届くエリア内に自機が入っており、入力された接続先アドレスが記憶手段に記憶されている接続制限アドレスである場合には、第１通信手段が第１移動体通信網の無線基地局と通信し、接続先アドレスのサイトに第１移動体通信網を介して接続する。このため、ユーザは、第２移動体通信網を利用している場合でも、通信手段を手動で切り替えることなく、第１移動体通信網を介して接続制限サイトからの情報を取得することができる。
【００１３】
また、本発明の移動通信端末において、入力された接続先アドレスのサイトに自機が接続できているか否かを判定する接続状況判定手段と、接続状況判定手段により、第２移動体通信網を介して接続先アドレスのサイトに自機が接続できなかったと判定され、且つ、第１移動体通信網を介して接続先アドレスのサイトに自機が接続することができたと判定された場合に、接続先アドレスを接続制限アドレスとして記憶手段に記憶させる記憶制御手段とを更に備えることは好適である。
【００１４】
また、本発明の移動通信方法において、入力された接続先アドレスのサイトに自機が接続できているか否かを判定する接続状況判定ステップと、接続状況判定ステップにより、第２移動体通信網を介して接続先アドレスのサイトに自機が接続できなかったと判定され、且つ、第１移動体通信網を介して接続先アドレスのサイトに自機が接続することができたと判定された場合に、接続先アドレスを接続制限アドレスとして記憶手段に記憶させる記憶制御ステップとを更に備えることは好適である。
【００１５】
この場合、第２移動体通信網を介して接続を試みて接続できなかったが、第１移動体通信網を介して接続可能であったサイトに再び自機が接続する場合には、第２移動体通信網を介してそのサイトに接続を試みることなく第１移動体通信網を介して自機が接続することができる。
【００１６】
また、本発明の移動通信端末が、接続制限アドレスの入力を受け付ける入力手段と、入力手段によって受け付けられた接続制限アドレスを記憶手段に記憶させる記憶制御手段とを更に備えることは望ましい。
【００１７】
また、本発明の移動通信方法が、接続制限アドレスの入力を受け付ける入力ステップと、入力ステップによって受け付けられた接続制限アドレスを記憶手段に記憶させる記憶制御ステップとを更に備えることは望ましい。
【００１８】
これにより、ユーザは任意のサイトのアドレスを接続制限アドレスとして記憶手段に記憶させることができる。
【００１９】
更に、本発明の移動通信端末において、記憶手段は、接続制限アドレスを特定する情報として所定の文字列を記憶し、通信切替手段は、入力された接続先アドレスが所定の文字列を含む場合に第１通信手段に第１移動体通信網の無線基地局と通信させることは好ましい。
【００２０】
更に、本発明の移動通信方法において、記憶手段は、接続制限アドレスを特定する情報として所定の文字列を記憶し、通信切替ステップは、入力された接続先アドレスが所定の文字列を含む場合に第１通信手段に第１移動体通信網の無線基地局と通信させることは好ましい。
【００２１】
この場合、入力された接続先アドレスが、記憶手段に記憶されている接続制限アドレスではない場合であっても、入力された接続先アドレスに記憶手段に記憶されている所定の文字列が含まれている場合には、入力された接続先アドレスのサイトには第１移動体通信網を介して接続することができる。
【００２２】
更にまた、本発明の移動通信端末が、接続制限アドレスを格納するサーバ装置から接続制限アドレスをダウンロードし、記憶手段に記憶させる記憶制御手段を更に備えることも好適である。
【００２３】
更にまた、本発明の移動通信方法において、接続制限アドレスを格納するサーバ装置から接続制限アドレスをダウンロードし、記憶手段に記憶させる記憶制御ステップを更に備えることも好適である。
【００２４】
これにより、例えば、接続制限アドレスを格納するサーバ装置に定期的に接続し、接続制限アドレスをダウンロードして記憶手段に記憶させることにより、ユーザは、新しい接続制限アドレスを定期的に取得することができる。
【００２５】
【発明の実施の形態】
以下、図面を参照して本発明の好適な実施形態について詳細に説明する。以下の説明においては、全図を通し、同一又は相当部分には同一符号を付することとする。
【００２６】
まず、本実施形態に係る移動通信システムの構成について説明する。
【００２７】
図１は、本実施形態に係る移動通信システムの概略構成図である。移動通信システム１は、携帯電話網（第１移動体通信網）１０と、携帯電話網１０の無線基地局１１ａ，１１ｂ，１１ｃと、無線ＬＡＮ網（第２移動体通信網）２０と、無線ＬＡＮ網２０の無線基地局２１ａ，２１ｂ，２１ｃと、移動通信端末３０とを含んで構成されている。上記の無線基地局１１ａ，１１ｂ，１１ｃ及び無線基地局２１ａ，２１ｂ，２１ｃは特に必要がない限り夫々無線基地局１１及び無線基地局２１と略記する。
【００２８】
また、携帯電話網１０及び無線ＬＡＮ網２０は夫々、ゲートウェイ４０ａ，４０ｂを介してインターネット５０に接続されている。
【００２９】
携帯電話網１０は、携帯電話サービスを提供するための移動体通信網である。また、上述したように携帯電話網１０は、ゲートウェイ４０ａを介してインターネット５０に接続されている。更に、携帯電話網１０には、携帯電話網１０を提供している事業者等が独自に運営するサイトが構築されている。このサイトは、無線ＬＡＮ網２０を介して接続不可能であるが携帯電話網１０を介して接続可能なサイトとなっている。本明細書では無線ＬＡＮ網２０を介して接続不可能であるが携帯電話網１０で接続可能なサイトを、接続制限サイトという。
【００３０】
携帯電話網１０の無線基地局１１は、移動通信端末３０と無線通信を行う。無線基地局１１と移動通信端末３０との無線通信は、例えば、ＩＭＴ−２０００等で規定された規格で行うようになっている。ＩＭＴ−２０００の規格であるＷ−ＣＤＭＡ（Ｗｉｄｅｂａｎｄ  ＣＤＭＡ）では最大伝送速度２Ｍｂｐｓで無線基地局１１と移動通信端末３０との通信ができる。携帯電話網１０の無線基地局１１ａ，１１ｂ，１１ｃの電波が届くエリア（以下、「携帯電話エリア」という）１２ａ，１２ｂ，１２ｃは、無線ＬＡＮ網２０の無線基地局２１ａ，２１ｂ，２１ｃの電波が届くエリア（以下、「無線ＬＡＮエリア」という）２２ａ，２２ｂ，２２ｃより広い。また、携帯電話網１０の無線基地局１１ａ，１１ｂ，１１ｃは、携帯電話エリア１２ａ，１２ｂ，１２ｃが互いに隣接するように配置されており、ユーザは携帯電話エリア１２ａ，１２ｂ，１２ｃ間を移動する際に、何れかのエリアに属しているため、携帯電話網１０を介してサイトに接続しながら移動することが可能である。
【００３１】
無線ＬＡＮ網２０は、無線ＬＡＮを利用した移動体通信網であり、ゲートウェイ４０ｂを介してインターネット５０に接続されている。
【００３２】
無線ＬＡＮ網２０の無線基地局２１は、移動通信端末３０と無線通信を行う。無線基地局２１と移動通信端末３０との無線通信は、例えば、ＩＥＥＥ８０２．１１ｂ等の無線ＬＡＮの規格に基づいて行う。無線基地局２１と移動通信端末３０との通信は、上記のＩＥＥＥ８０２．１１ｂでは最大伝送速度１１Ｍｂｐｓで通信可能であり、携帯電話網１０の無線基地局１１と移動通信端末３０との通信よりも高速な通信が可能である。一方、無線基地局２１と移動通信端末３０とが通信できる無線ＬＡＮエリア２２は狭く、無線ＬＡＮエリア２２が相互に隣接するように無線基地局２１が配置されていないため、無線ＬＡＮエリア２２ａ，２２ｂ，２２ｃ間を移動する際には無線ＬＡＮ網２０を介してサイトに接続できないようになっている。
【００３３】
本実施形態に係る移動通信端末３０は、携帯電話網１０の無線基地局１１と無線ＬＡＮ網２０の無線基地局２１と夫々通信可能である。また、携帯電話網１０及び無線ＬＡＮ網２０を夫々介してインターネット５０で提供されているサイトに接続することができる。本明細書では、インターネット５０で提供されており、携帯電話網１０及び無線ＬＡＮ網２０のどちらを介しても接続可能なサイトをパブリックサイトという。また、移動通信端末３０は、携帯電話網１０を介して接続制限サイトに接続できるようになっている。移動通信端末３０としては、例えば、携帯電話機が考えられる。
【００３４】
図２に、移動通信端末３０の全体ブロック図を示す。移動通信端末３０は、操作部３１と、表示部３２と、音声処理部３３と、記憶部３４と、第１通信部３５と、第２通信部３６と、制御部３７とを有し、各部はバス３８を介して互いにデータのやり取りが可能なように接続されている。
【００３５】
操作部（入力手段）３１は、電話番号やサイトのアドレス等を入力する操作ボタンや電源ボタンを含んで構成される。
【００３６】
表示部３２は、ＬＣＤ（Ｌｉｑｕｉｄ  Ｃｒｙｓｔａｌ  Ｄｉｓｐｌａｙ）等により携帯電話網１０及び無線ＬＡＮ網２０を介して接続されたサイトから取得した情報等を表示する。
【００３７】
音声処理部３３は、音声を受けつけるマイク３３ａ及び音声を出力するスピーカ３３ｂを有する。
【００３８】
記憶部（記憶手段）３４は、各種プログラムやデータを記憶する。本実施形態では、接続制限アドレスが記憶される。
【００３９】
第１通信部（第１通信手段）３５は、アンテナ３５ａと送受信回路３５ｂとを有している。アンテナ３５ａは、携帯電話網１０の無線基地局１１と電波の送受信をする。送受信回路３５ｂは、アンテナ３５ａと接続されており、送信すべき情報を携帯電話網１０で扱われる信号に変換して電波に重畳するとともに、また、無線基地局１１から受信した電波に重畳されている信号から情報を取り出す。通信方式としては、例えば、ＩＭＴ−２０００の規格であるＷ−ＣＤＭＡがある。
【００４０】
第２通信部（第２通信手段）３６は、アンテナ３６ａと送受信回路３６ｂとを有している。アンテナ３６ａは、無線ＬＡＮ網２０の無線基地局２１と電波の送受信をする。送受信回路３６ｂは、アンテナ３６ａと接続されており、送信すべき情報を無線ＬＡＮ網２０で扱われる信号に変換し、また、無線基地局２１から受信した電波に重畳されている信号から情報を取り出す。
【００４１】
制御部３７は、ＲＯＭ（Ｒｅａｄ  Ｏｎｌｙ  Ｍｅｍｏｒｙ）３７ａ、ＲＡＭ（Ｒａｎｄｏｍ  Ａｃｃｅｓｓ  Ｍｅｍｏｒｙ）３７ｂを含んで構成され、ＲＯＭ３７ａに記憶された各種制御プログラムをＲＡＭ３７ｂに展開して移動通信端末３０の各部の制御を行う。
【００４２】
上記構成において、移動通信端末３０は、制御部３７が各部を制御することにより種々の機能を有する。
【００４３】
図３に移動通信端末３０の機能ブロック図を示す。移動通信端末３０は、エリア判定部（エリア判定手段）３７１、接続状況判定部（接続状況判定手段）３７２、記憶制御部（記憶制御手段）３７３、及び通信切替部（通信切替手段）３７４を有する。
【００４４】
エリア判定部３７１は、第１通信部３５で受信された図１に示す携帯電話網１０の無線基地局１１からの電波強度に基づいて、無線基地局１１の電波が届くエリアである携帯電話エリア１２内に移動通信端末３０が入っているか否かを判定する。また、エリア判定部３７１は、第２通信部３６で受信された図１に示す無線ＬＡＮ網２０の無線基地局２１からの電波強度に基づいて、無線基地局２１からの電波が届くエリアである無線ＬＡＮエリア２２内に移動通信端末３０が入っているか否かを判定する。判定の仕方としては、例えば、所定の電波強度を閾値として設けておき、その閾値より受信した電波強度が大きい場合に、携帯電話エリア１２内及び無線ＬＡＮエリア２２内に移動通信端末３０が入っていると判定すること等がある。
【００４５】
図３に示す接続状況判定部３７２は、操作部３１で入力された接続先アドレスのサイトに移動通信端末３０が接続できているか否かを判定する。判定の仕方としては、一定の時間を待ち時間として、その間にサイトからの情報を得られない場合に接続失敗と判定することや、サイトから接続許可がない旨の情報を取得した場合に接続失敗と判定すること等がある。
【００４６】
記憶制御部３７３は、アドレスを記憶部３４に記憶させる。記憶制御部３７３は、以下の２つの場合に、アドレスを記憶部３４に記憶させる。第１は、入力された接続先アドレスのサイトに無線ＬＡＮ網２０を介して接続を試みたが失敗し、携帯電話網１０を介して接続が成功したと接続状況判定部３７２が判定した場合である。第２は、第１の場合のようにサイトへの接続履歴に基づいてアドレスを自動的に記憶部３４に記憶させずに、入力されたアドレスを接続制限アドレスとして受け付けた場合である。尚、入力されたアドレスが接続制限アドレスとして受け付けさせる旨の指示は、例えば、操作部３１の操作ボタンを操作することにより入力することが考えられる。また、記憶制御部３７３は、アドレスを記憶部３４に記憶させる場合に、その記憶させるアドレスに含まれるドメイン名（所定の文字列）を抽出し、ドメイン名も記憶部３４に記憶させる機能も有する。この場合、ドメイン名を記憶部３４に記憶させるか否かは、例えば、操作部３１の操作ボタンにより入力された指示により切り替えられるようにしておけばよい。図４に記憶部３４に記憶されるアドレスの概念図を示す。図４において記憶されているデータ３４ａ，３４ｂは、上記の第１の場合と第２の場合により記憶されたアドレスであり、データ３４ｃ，３４ｄは、データ３４ａ，３４ｂに相当するアドレスのドメイン名を抽出して記憶させたものである。データ３４ｃ，３４ｄにおいて「＊」の印は任意の文字列が含まれることを示している。
【００４７】
図３に示す通信切替部３７４は、携帯電話網１０の無線基地局１１と通信可能な第１通信部３５及び無線ＬＡＮ網２０の無線基地局２１と通信可能な第２通信部３６を相互に切り替える。通信切替部３７４は、次の２つの場合に第１通信部３５を用い、携帯電話網１０を介して接続先アドレスのサイトに移動通信端末３０を接続させる。即ち、第１通信部３５が通信部として用いられるのは、第１に、移動通信端末３０が図１に示す無線ＬＡＮエリア２２内に入っていない場合、第２に、入力された接続先アドレスが記憶部３４に記憶されている接続制限アドレスである場合である。尚、記憶部３４が接続制限アドレスのドメイン名も記憶している場合には、入力された接続先アドレスに含まれるドメイン名が記憶部３４に記憶されている時も第１通信部３５が用いられる。また、通信切替部３７４は、次の場合に第２通信部３６を用い、無線ＬＡＮ網２０を介して接続先アドレスのサイトに移動通信端末３０を接続させる。即ち、第２通信部３６が通信部として用いられるのは、移動通信端末３０が図１に示す無線ＬＡＮエリア２２内に入っており、入力された接続先アドレスが記憶部３４に記憶されている接続制限アドレスではない場合である。
【００４８】
次に、移動通信端末３０における通信に係る処理の手順とともに、本実施携帯に係る移動通信方法について図５を用いて説明する。尚、以下の説明では、記憶部３４にドメイン名は記憶されないようになっているものとする。
【００４９】
まず、サイトを閲覧するためのブラウザが起動される（Ｓ１００）。次に、エリア判定部３７１が、無線ＬＡＮ網２０の無線基地局２１の電波が届くエリアである無線ＬＡＮエリア２２内に移動通信端末３０が入っているか否かを判定する（Ｓ１０１）。
【００５０】
無線ＬＡＮエリア２２内に移動通信端末３０が入っているとエリア判定部３７１が判定した場合（Ｓ１０１で「ＹＥＳ」）について説明する。
【００５１】
この場合、図３に示す通信切替部３７４が、無線ＬＡＮ網２０の無線基地局２１と通信可能な第２通信部３６に無線ＬＡＮ網２０の無線基地局２１と通信させる（Ｓ１０２）。第２通信部３６が無線基地局２１と通信している際に、接続先アドレスが入力されると（Ｓ１０３）、通信切替部３７４は、入力された接続先アドレスが記憶部３４に記憶されている接続制限アドレスであるか否かを確認する（Ｓ１０４）。入力された接続先アドレスが記憶部３４に記憶されている接続制限アドレスでない場合（Ｓ１０４で「ＮＯ」）には、接続先アドレスのサイトに無線ＬＡＮ網２０を介して接続を試みる。そして、接続状況判定部３７２が接続先アドレスのサイトに移動通信端末３０が接続ができているか否か、即ち、接続失敗か否かを判定する（Ｓ１０５）。接続状況判定部３７２が接続失敗と判定した場合（Ｓ１０５で「ＹＥＳ」）、移動通信端末３０が携帯電話エリア１２内に入っているか否かをエリア判定部３７１が判定する（Ｓ１０６）。移動通信端末３０が携帯電話エリア１２内に入っている場合（Ｓ１０６で「ＹＥＳ」）、通信切替部３７４が、携帯電話網１０の無線基地局１１と通信可能な第１通信部３５に無線基地局１１と通信させる（Ｓ１０７）。そして、携帯電話網１０を介して接続先アドレスのサイトからの情報を取得する（Ｓ１０８）。この際、記憶制御部３７３が接続先アドレスを記憶部３４に記憶させる（Ｓ１０９）。Ｓ１０５で接続が成功した場合（Ｓ１０５で「ＮＯ」）には、無線ＬＡＮ網２０を介してサイトの情報を取得する（Ｓ１１０）。尚、移動通信端末３０が携帯電話エリア１２内に入っていない場合には（Ｓ１０６で「ＮＯ」）、ブラウジングを終了する。
【００５２】
また、入力された接続先アドレスが記憶部３４に記憶されている接続制限アドレスである場合（Ｓ１０４で「ＹＥＳ」）には、Ｓ１１１に移行する。即ち、移動通信端末３０が携帯電話エリア１２内に入っているか否かをエリア判定部３７１が判定する（Ｓ１１１）。エリア判定部３７１が、携帯電話エリア１２内に移動通信端末３０が入っていると判定した場合（Ｓ１１１で「ＹＥＳ」）には、通信切替部３７４が第１通信部３５に携帯電話網１０の無線基地局１１と通信させる（Ｓ１１２）。そして、携帯電話網１０を介して接続先アドレスのサイトから情報を取得する（Ｓ１１３）。尚、移動通信端末３０が携帯電話エリア１２内に入っていない場合（Ｓ１１１で「ＮＯ」）は、ブラウジングを終了する。
【００５３】
次に、Ｓ１０１において、エリア判定部３７１が、無線ＬＡＮエリア２２内に移動通信端末３０が入っていないと判定した場合（Ｓ１０１で「ＮＯ」）について説明する。
【００５４】
この場合、エリア判定部３７１が、携帯電話エリア１２内に移動通信端末３０が入っていると判定している時には（Ｓ１１１で「ＹＥＳ」）、上述したＳ１１２及びＳ１１３のステップにより携帯電話網１０を介して接続先アドレスのサイトから情報を取得する。
【００５５】
エリア判定部３７１が、携帯電話エリア１２内に移動通信端末３０が入っていないと判定した場合には（Ｓ１１１「ＮＯ」）、ブラウジングを終了する。
【００５６】
以下、本実施形態に係る移動通信システムの作用・効果について説明する。
【００５７】
本実施形態に係る移動通信端末３０において、通信切替部３７４は、エリア判定部３７１により、無線ＬＡＮ網２０の無線基地局２１の電波が届く無線ＬＡＮエリア２２内に移動通信端末３０が入っていると判定され且つ入力された接続先アドレスが記憶部３４に記憶されている接続制限アドレスである場合、第２通信部３６に無線ＬＡＮ網２０の無線基地局２１と通信させる。無線ＬＡＮ網２０の無線基地局２１と移動通信端末３０との通信は、携帯電話網１０の無線基地局１１と移動通信端末３０との通信よりも高速である。従って、携帯電話網１０及び無線ＬＡＮ網２０のどちらを利用しても接続できるパブリックサイトに接続する場合、ユーザは、携帯電話網１０を利用する場合より迅速にそのサイトの情報を取得することができる。
【００５８】
また、無線ＬＡＮ網２０の無線基地局２１と第２通信部３６とが通信している場合でも、接続先アドレスが記憶部３４に記憶されている接続制限アドレスである時には、通信切替部３７４が通信部を第２通信部３６から第１通信部３５に切り替えて、無線ＬＡＮ網２０を介せずに携帯電話網１０を介して接続制限サイトに接続する。従って、接続先アドレスが、記憶部３４に記憶されている接続制限アドレスである場合には、ユーザは、手動で通信部を切り替える必要なく、容易に接続制限サイトの情報を取得することができる。
【００５９】
更に、記憶制御部３７３は、無線ＬＡＮ網２０を介することにより接続制限サイトへの接続が失敗した後に携帯電話網１０を介して接続制限サイトへの接続が成功した時に、接続先アドレスを接続制限サイトのアドレスとして記憶部３４に記憶する。従って、一度無線ＬＡＮ網２０を介して接続が失敗し携帯電話網１０を介して接続が成功した接続制限サイトに再び移動通信端末３０が接続する場合には、接続制限サイトのアドレスが接続先アドレスとして入力されただけで携帯電話網１０を介して接続することができる。
【００６０】
また、記憶制御部３７３は、ユーザにより接続制限アドレスとして操作部３１により入力され、受け付けられたアドレスを記憶部３４に記憶させるようになっている。そのため、ユーザは、任意のアドレスを接続制限アドレスとして記憶部３４に記憶させることができる。
【００６１】
更に、記憶部３４に接続制限アドレスを特定する情報としてドメイン名が記憶されるようになっている場合には、入力された接続先アドレスが記憶部３４に記憶されているドメイン名を含んでいる時、移動通信端末３０は、携帯電話網１０を介して接続制限サイトに接続する。同じドメイン名を含むアドレスのサイトは、同じサーバ装置から提供されていると類推できる。従って、接続制限サイトのアドレスと同じドメイン名を含むアドレスのサイトも接続制限サイトである可能性が高い。一方、携帯電話網１０を介して移動通信端末３０は接続制限サイト及びパブリックサイトのどちらにも接続できる。従って、無線ＬＡＮ網２０を介することにより接続先アドレスのサイトへの接続を失敗することなく、接続先アドレスのサイトに確実に接続できる。
【００６２】
以上、本発明の好適な実施形態について詳細に説明したが、本発明は上記実施形態に限定されないことは言うまでもない。
【００６３】
例えば、接続制限アドレスを格納しているサーバ装置に接続して、サーバ装置から接続制限アドレスをダウンロードし、記憶部３４に記憶させることも望ましい。この場合、例えば、ユーザが、新しい接続制限サイトのアドレスである新規接続制限アドレスを知らなくても、新規接続制限アドレスがサーバ装置から移動通信端末３０にダウンロードされ、記憶部３４に記憶されていれば、新規接続制限サイトのアドレスが接続先アドレスとして入力された場合に、移動通信端末３０は、無線ＬＡＮ網２０を介さずに携帯電話網１０でそのサイトに接続できる。
【００６４】
上述の第１移動体通信網は携帯電話網とし、第２移動体通信網は無線ＬＡＮを利用した移動体通信網としたが、特にこれらに限定する必要はない。例えば、２つの異なる移動体通信網があり、一方の移動体通信網に接続制限が設けられているサイトがある場合には、そのサイトのアドレスを記憶部３４に記憶しておき、そのサイトに接続する場合には、サイトに接続可能な移動体通信網に接続できるようにしておけば良い。
【００６５】
また、アドレスに含まれている所定の文字列としてドメイン名としたが、所定の文字列はドメイン名に限らず、例えば、会社名等が含まれている場合には、その会社名等でも良い。
【００６６】
更に、移動通信端末の例として携帯電話機としているが、特に携帯電話機に限定する必要はなく、ＰＨＳ、ＰＤＡ、及び通信機能を備えたノートパソコン等であっても良い。
【００６７】
【発明の効果】
上述したように、本発明によれば、移動通信端末の記憶手段に、第２移動体通信網では接続不可能であるが第１移動体通信網では接続可能なサイトのアドレスである接続制限アドレスを記憶させておくことにより、手動で第２通信手段から第１通信手段に切り替えることなく接続先アドレスのサイトに接続することができる。即ち、特定の移動体通信網で接続できるサイトに容易に接続することが可能である。
【図面の簡単な説明】
【図１】移動通信システムの概略構成図である。
【図２】移動通信端末の全体構成図である。
【図３】移動通信端末における機能構成を示すブロック図である。
【図４】記憶部に記憶されているアドレスを示す概念図である。
【図５】移動通信端末における通信に係る処理と移動通信方法を説明するためのフローチャートである。
【符号の説明】
１…移動通信システム、１０…携帯電話網（第１移動体通信網）、１１，１１ａ，１１ｂ，１１ｃ…無線基地局、１２，１２ａ，１２ｂ，１２ｃ…無線基地局１１の電波が届くエリア、２０…無線ＬＡＮ網（第２移動体通信網）、２１，２１ａ，２１ｂ，２１ｃ…無線基地局、２２，２２ａ，２２ｂ，２２ｃ…無線基地局２１の電波が届くエリア、３０…移動通信端末、３１…操作部、３２…表示部、３３…音声処理部、３４…記憶部（記憶手段）、３５…第１通信部（第１通信手段）、３６…第２通信部（第２通信手段）、３６…制御部、３７１…エリア判定部（エリア判定手段）、３７２…接続状況判定部（接続状況判定手段）、３７３…記憶部（記憶制御手段）、３７４…通信切替部（通信切替手段）、４０ａ，４０ｂ…ゲートウェイ、５０…インターネット
【図１】
0003587833.tif 000002
【図２】
0003587833.tif 000003
【図３】
0003587833.tif 000004
【図４】
0003587833.tif 000005
【図５】
0003587833.tif 000006